(57)【要約】【課題】コードリールの接続部に対する安全性を高めた炊飯器を提供する。【解決手段】コードリールと接続コードとの接続部を覆う難燃性の樹脂により形成された端子カバーを爪形状により前記コードリールに係止する構成とした炊飯器とする。【選択図】図１
2008036112.tif 000002
【特許請求の範囲】
【請求項１】
上面が開口した本体と、前記本体に着脱自在に収納される鍋と、前記本体の上面開口部を開閉自在に覆う蓋と、前記鍋及び前記鍋内の調理物を加熱するための加熱手段と、前記加熱手段を制御する制御基板と、前記本体内に配置した電源部であるコードリールと、前記制御基板と前記電源部を電源部側にて接続端子により接続する接続コードと、前記コードリールと前記接続コードとの接続部を覆う、難燃性の樹脂により形成された端子カバーを有し、前記端子カバーは爪形状により、前記コードリールに設けた係止穴に係止される構成とした炊飯器。
【請求項２】
上面が開口した本体と、前記本体に着脱自在に収納される鍋と、前記本体の上面開口部を開閉自在に覆う蓋と、前記鍋及び前記鍋内の調理物を加熱するための加熱手段と、前記加熱手段を制御する制御基板と、前記本体内に配置した電源部であるコードリールと、前記制御基板と前記電源部を電源部側にて接続端子により接続する接続コードと、前記コードリールと前記接続コードとの接続部を覆う、難燃性の樹脂により形成された端子カバーを有し、前記端子カバーは係止部をコードリール外周部に設けた炊飯器。
【請求項３】
前記端子カバーは係止部を、前記コードリールと前記接続コードとの接続部高さ以下にあたる位置に設けた請求項１または２に記載の炊飯器。
【請求項４】
前記端子カバーに位置決めの為に設けた軸と前記コードリールに設けた軸を受けるボスの挿入深さ寸法よりも、前記端子カバー背面と他構成部材との隙間を小さくしてなる請求項１〜３のいずれかに記載の炊飯器。
【請求項５】
前記端子カバーの接続コード引出し口を、前記コードリールと前記接続コードとの接続部よりも下方に設けた請求項１〜４のいずれかに記載の炊飯器。
【請求項６】
前記接続コードを２本の被覆電線の外周を略円筒状の被覆体で固着したものとし、接続後に接続コードが接続コード引出し口の方向へ向くように２本の被覆電線について被覆体のない端子部の長さに差を設けた請求項１〜５のいずれかに記載の炊飯器。
【発明の詳細な説明】
【技術分野】
【０００１】
本発明は炊飯器に関する。
【背景技術】
【０００２】
従来の炊飯器は、図５（ａ）のように、本体の内側に鍋をセットし、鍋下方に設けた加熱手段を制御基板により制御している。制御基板は電源部であるコードリールと接続コードにより接続されている。コードリールは電源線を出入自在に有するために使い勝手が良い。接続コードは図５（ｂ）のように、コードリールの近傍で接続コードを下方にＵ字状に垂下する垂下部を形成しつつ接続端子によりコードリール接続され、万一、調理器本体内に水が浸入したとき、電源部に水がかかるのを防止できている（例えば、特許文献１参照）。２つの接続端子には、接続端子の形状異常・加工不良や挿入状態異常により通電による発火が万が一起こった場合の安全を確保するために、難燃性の樹脂による端子カバーがそれぞれ被せられている。
【０００３】
また、コードリールと接続コードを手作業等により半田固定しているものには、作業に対する信頼性が充分ではないため、通電による発火が万が一起こった場合の安全を確保するために図５（ｃ）のように、半田部を覆うように難燃性の樹脂による端子カバーをネジ固定しているものもある。
【特許文献１】特開２００５−１９７０４４号公報
【発明の開示】
【発明が解決しようとする課題】
【０００４】
従来の炊飯器の構成では、端子カバーがそれぞれの接続端子に被せられているために、コードリールの接続子に対して接続コードの接続端子を挿入する作業において視認性が悪く、挿入状態異常の原因となり得る上に、挿入状態異常を検知できない原因ともなる。この対策として端子カバーを付けない構成もあるが、この場合は通電による発火が万が一起こった場合、コードリールの接続部に対する安全性が確保できない。また、後から、端子カバーをネジ止めすることは組付け作業において煩雑な作業である。
【０００５】
本発明の炊飯器は、前記従来の課題を解決するもので、端子カバーを爪形状によりコードリールに係止する構成とすることにより、簡単な組付け作業にてコードリールの接続部に対する安全性を高めた炊飯器を提供することを目的とする。
【課題を解決するための手段】
【０００６】
上記課題を解決するため、本発明の炊飯器は、端子カバーは爪形状によりコードリールに係止される構成とすることにより、簡単な組付け作業にてコードリールの接続部に対する安全性を高めたものである。
【発明の効果】
【０００７】
本発明の炊飯器は、コードリールの接続部に対する安全性を高めることができる。
【発明を実施するための最良の形態】
【０００８】
第１の発明は、上面が開口した本体と、前記本体に着脱自在に収納される鍋と、前記本体の上面開口部を開閉自在に覆う蓋と、前記鍋及び前記鍋内の調理物を加熱するための加熱手段と、前記加熱手段を制御する制御基板と、前記本体内に配置した電源部であるコードリールと、前記制御基板と前記電源部を電源部側にて接続端子により接続する接続コードと、前記コードリールと前記接続コードとの接続部を覆う、難燃性の樹脂により形成された端子カバーを有し、前記端子カバーは爪形状により前記コードリールに設けた係止穴に係止される構成とした炊飯器で、端子カバーがネジではなく爪形状によりコードリールに係止されるため、簡単な組付け作業にてコードリールの接続部に対する安全性を高めることができる。
【０００９】
第２の発明は、上面が開口した本体と、前記本体に着脱自在に収納される鍋と、前記本体の上面開口部を開閉自在に覆う蓋と、前記鍋及び前記鍋内の調理物を加熱するための加熱手段と、前記加熱手段を制御する制御基板と、前記本体内に配置した電源部であるコードリールと、前記制御基板と前記電源部を電源部側にて接続端子により接続する接続コードと、前記コードリールと前記接続コードとの接続部を覆う、難燃性の樹脂により形成された端子カバーを有し、前記端子カバー係止部をコードリール外周部に設けた請求項１に記載の炊飯器で、コードリールに係止穴を構成せずとも簡単な作業にて端子カバーを組付けることができるため、汎用性があり、便利である。
【００１０】
第３の発明は、端子カバーは係止部を、コードリールと接続コードとの接続部高さ以下にあたる位置に設けた炊飯器で、接続端子の形状異常・加工不良や挿入状態異常により通電による発火が万が一起こった場合において、発火が起きている接続部高さ以下の遠い位置にて係止されているために、発火により端子カバーが変形し始めた時でも直ちに脱落してしまうことが無く、さらに安全である。
【００１１】
第４の発明は、端子カバーに位置決めの為に設けた軸とコードリールに設けた軸を受けるボスの挿入深さ寸法よりも、前記端子カバー背面と他構成部材との隙間を小さくしてなる炊飯器で、商品運搬や使用時における炊飯器の落下などの異常により端子カバーの係止が外れてしまった場合でも、端子カバー背面が他構成部材に当接し、軸がボスから抜けることが無く、端子カバーの脱落を未然に防ぐことができ、さらに安全性を高めることができる。
【００１２】
第５の発明は、端子カバーの接続コード引出し口を、コードリールと接続コードとの接続部よりも下方に設けた炊飯器で、従来のようにコードリールの近傍で接続コードを下方にＵ字状に垂下する垂下部を形成しなくとも、万一、調理器本体内に水が浸入したとき、電源部に水が伝わるのを防止できるため、防水面でも安全を確保することができる。
【００１３】
第６の発明は、接続コードを２本の被覆電線の外周を略円筒状の被覆体で固着したものとし、接続後に接続コードが接続コード引出し口の方向へ向くように２本の被覆電線について被覆体のない端子部の長さに差を設けた炊飯器で、組付け時に接続コードが自然と引出し口に向いているため、前記端子カバーの組付け後に接続コードに応力が残りにくく、接続部に対して負荷が掛からないため、安全である。
【００１４】
以下、本発明の実施の形態について、図面を参照しながら説明する。なお、この実施の形態によって本発明が限定されるものではない。
【００１５】
（実施の形態１）
図１〜図２を用いて、本発明の実施の形態１の炊飯器を説明する。
【００１６】
図１は、本発明の実施の形態１の炊飯器の前後方向要部断面図、図２は本発明の実施の形態１の炊飯器のコードリール接続部拡大図である。図１において、１０は炊飯器のボディ（本体）である。ボディ１０には、ステンレス、鉄などの磁性体によって形成される鍋２０が収納される。ボディ１０の鍋収納部の下方にはＩＨコイル２５が設置されている。３０は加熱手段を制御する制御基板である。実施の形態１の炊飯器は、制御基板３０によりＩＨコイル２５に通電し、鍋２０を誘導加熱し、鍋２０内の調理物（図示しない）を加熱調理する。調理物は、炊飯前の米と水又は炊き上がったご飯等である。
【００１７】
蓋２８は、鍋２０の上面を覆う位置にヒンジ側で回動自在に軸支され、他側でボディ１０と係脱自在となるように取付けられている。
【００１８】
制御基板３０から接続コード３１が炊飯器後方へ伸びており、接続端子３２により、電源部であるコードリール４０と接続されている。接続部には、難燃性の樹脂からなる端子カバー５０が係止され、接続コード引出し口５１より接続コード３１が引出されている。
【００１９】
図２において、４１はコードリール４０の接続子、４２はコードリール４０に設けられた係止穴、５２は端子カバー５０に設けられた係止爪で、係止穴４２は係止爪５２を掛けるようにアンダーカット形状となっている。なお、図２にて接続子４１は図示した場所と、接続端子３２の位置との２ヶ所あり、係止爪５２、および係止穴４２についても、左右対称位置に２ヶ所設けられている。
【００２０】
上記の構成の炊飯器にて、端子カバー５０の組付け手順を説明する。まず、接続コード３１の接続端子３２を、コードリール４０の接続子４１に差し込む。次に、端子カバー５０の接続コード引出し口５１に接続コード３１を通しつつ、２つの係止爪５２を、２ヶ所の係止穴４２に掛けることにより、端子カバー５０がコードリール４０に係止される。
【００２１】
以上のように構成された炊飯器では、端子カバー５０がネジではなく爪形状によりコードリール４０に係止されるため、簡単な組付け作業にてコードリール４０の接続部に対する安全性を高めることができる。
【００２２】
（実施の形態２）
図３および図４を用いて、本発明の実施の形態２の炊飯器を説明する。図３は、本発明の実施の形態２の炊飯器のコードリール接続部拡大図、図４は、本発明の実施の形態２の炊飯器のボディ底部を除去した形状を下方より見た図である。図示する部分以外の構成は実施の形態１の炊飯器（図１〜２）と同じであるので説明を省略する。
【００２３】
図３において、接続コード３１は、２本の被覆電線の外周を固着している被覆体３３と、被覆体３３のない２本の被覆電線端子部３４ａ、３４ｂを有している。ここで、被覆電線端子部３４ａをコードリール４０の上方の接続子４１に挿入した場合、接続コード３１が端子カバー５０の接続コード引出し口５１の方向へ向くように、被覆電線端子部３４ａと３４ｂには長さに差が付けられている。４３は金属からなるコードリール蓋、４４はコードリール蓋４３から連成された蓋リブ、４５は位置決めのために端子カバー５０の中央に設けた軸（図示しない）を受ける軸受けボスである。端子カバー５０には、外周爪５３、係止腕５４、保持穴５５、抱えリブ５６が連成されている。ここで、接続コード引出し口５１と外周爪５３は、共に接続端子３２のいずれの位置よりも下方に位置するように構成されている。
【００２４】
図４において、５７は位置決めのために端子カバー５０の中央に設けた軸（図示しない）の軸受けボス４５に対する挿入深さ寸法、５８はボディ１０と端子カバー５０の背面との隙間寸法を示しており、挿入深さ寸法５７が隙間寸法５８よりも大きくなるように構成されている。
【００２５】
なお、実施の形態２の炊飯器において、コードリール４０には係止穴４２は設けられていない。
【００２６】
上記の構成の炊飯器にて、端子カバー５０の組付け手順を説明する。まず、コードリール４０の蓋リブ４４に端子カバー５０の保持穴５５を通す。この時、コードリール４０の背面には抱えリブ５６が位置するようになっている。次に、接続コード引出し口５１に接続コード３１を通しつつ、端子カバー５０の中央に設けた軸（図示しない）を軸受けボス４５に挿入し、係止腕５４の先端に設けてある外周爪５３をコードリール４０の背面に掛けることにより、端子カバー５０がコードリール４０に係止される。
【００２７】
以上のように構成された炊飯器では、接続端子３２の形状異常・加工不良や挿入状態異常により通電による発火が万が一起こった場合において、発火が起きている接続端子３２よりも下方の遠い位置にて係止されているために、発火により端子カバー５０の中央部が変形し始めても直ちに脱落してしまうことが無く、安全性が高められている。なお、このような係止構成とした場合、コードリール４０に係止穴４２が無くとも端子カバー５０を係止することができるため、汎用性があり便利である。
【００２８】
また、挿入深さ寸法５７よりも、隙間寸法５８が小さいために、商品運搬や使用時における炊飯器の落下などで端子カバー５０の係止が外れてしまった場合でも、端子カバー５０の背面がボディ１０に当接し、軸（図示しない）が軸受けボス４５から抜けることが無く、端子カバー５０の脱落を未然に防ぐことができ、さらに安全性が高められている。
【００２９】
さらに、端子カバー５０の接続コード引出し口５１を、接続端子３２よりも下方に設けているため、コードリール４０の近傍で接続コード３１を下方にＵ字状に垂下する垂下部を形成しなくとも、万一、調理器本体内に水が浸入したとき、電源部に水が伝わるのを防止でき、防水面での安全が確保されている。
【００３０】
加えて、接続コード３１が被覆電線端子部３４ａ、３４ｂの長さに差により接続コード引出し口５１の方向へ向いているため、端子カバー５０、組付け後に接続コード３１に応力が残りにくく、接続端子３２に対し負荷が掛からないため、安全である。
【産業上の利用可能性】
【００３１】
本発明に係わる炊飯器は、家庭用又は業務用の炊飯器として有用である。
【図面の簡単な説明】
【００３２】
【図１】本発明の実施の形態１の炊飯器の前後方向要部断面図
【図２】本発明の実施の形態１の炊飯器のコードリール接続部拡大図
【図３】本発明の実施の形態２の炊飯器のコードリール接続部拡大図
【図４】本発明の実施の形態２の炊飯器のボディ底部を除去した形状を下方より見た図
【図５】（ａ）従来の炊飯器の前後方向要部断面図（ｂ）従来の炊飯器のコードリール接続部拡大図（ｃ）難燃性の樹脂による端子カバーをネジ固定している炊飯器のコードリール接続部拡大図
【符号の説明】
【００３３】
１０  ボディ（本体）
２０  鍋
２５  ＩＨコイル
２８  蓋
３０  制御基板
３１  接続コード
３２  接続端子
３３  被覆体
４０  コードリール
４１  接続子
４２  係止穴
４３  コードリール蓋
４４  蓋リブ
４５  軸受けボス
５０  端子カバー
５１  接続コード引出し口
５２  係止爪
５３  外周爪
５４  係止腕
５５  保持穴
５６  抱えリブ
５７  挿入深さ寸法
５８  隙間寸法
【図１】
2008036112.tif 000003
【図２】
2008036112.tif 000004
【図３】
2008036112.tif 000005
【図４】
2008036112.tif 000006
【図５】
2008036112.tif 000007